(57)【特許請求の範囲】
【請求項１】
配線板部材の部分が載置される部材収容部が設けられた絶縁ハウジングと、
該絶縁ハウジングに配列配置され、配線板部材の部分が上記部材収容部に載置されて収容されたとき該配線板部材の部分に配列配置された複数の接続端子部に夫々接触接続される複数のコンタクトと、
上記絶縁ハウジングに対して回動可能に設けられ、上記部材収容部を開放状態とする第１の静止位置と上記部材収容部を覆う第２の静止位置とを選択的にとり、上記第１の静止位置をとるとき、配線板部材の部分の上記部材収容部への載置を可能とし、配線板部材の部分が上記部材収容部に載置されて収容されたもとで上記第２の静止位置をとるとき、該配線板部材の部分に配列配置された複数の接続端子部を上記複数のコンタクトに向けて夫々押圧するアクチュエータと、
を備えて成り、
配線板部材の部分が、上記部材収容部に該部材収容部を覆う方向から載置された後、上記配線板部材の部分の板面に沿いかつ上記複数のコンタクトの配列方向に交差する方向に移動せしめられるとき、上記配線板部材の部分に設けられた係合部に係合して該配線板部材の部分を保持する係合保持部が、上記部材収容部における上記複数のコンタクトの配列方向の両端部に設けられたことを特徴とするコネクタ装置。
【請求項２】
上記部材収容部に載置された配線板部材の部分が、該配線板部材の部分に設けられた係合部に上記係合保持部が係合して該係合保持により保持される適正な位置に配されていないもとで、上記アクチュエータが上記第１の静止位置から上記第２の静止位置に向けて回動せしめられるとき、上記配線板部材の部分に当接して上記アクチュエータの回動を阻止する適正位置検知部が、上記アクチュエータに設けられていることを特徴とする請求項１記載のコネクタ装置。
【請求項３】
上記絶縁ハウジングにおける上記複数のコンタクトの配列方向の両端部に取り付けられて該絶縁ハウジングの主配線基板への実装に用いられる補強金具を備え、該補強金具に、上記係合保持部が係合する配線板部材の部分に設けられた係合部を押圧する弾性腕状部が設けられていることを特徴とする請求項１記載のコネクタ装置。
【請求項４】
上記絶縁ハウジングにおける上記複数のコンタクトの配列方向の両端部に取り付けられて該絶縁ハウジングの主配線基板への実装に用いられる補強金具を備え、該補強金具に、上記第２の静止位置をとる上記アクチュエータに係合して該アクチュエータを係止する係止部が設けられていることを特徴とする請求項１記載のコネクタ装置。
【請求項５】
上記補強金具が上記主配線基板におけるグラウンド接続部に接続されたもとで、上記アクチュエータが導電材料をもって形成されており、上記第２の静止位置をとる上記アクチュエータに上記補強金具を通じて上記主配線基板からのグラウンド電位が供給される電位設定がなされることを特徴とする請求項４記載のコネクタ装置。
【発明の詳細な説明】
【技術分野】
【０００１】
本願の特許請求の範囲に記載された発明は、フレキシブル印刷配線基板（ＦＰＣ）等の配線板部材の部分を収容する絶縁ハウジングを有し、その絶縁ハウジングに配されて配線板部材の部分に設けられた接続端子部に接触接続されるコンタクトを備えたコネクタ装置に関する。
【背景技術】
【０００２】
各種の電子機器に実装される比較的小型なフレキシブル印刷配線基板等の配線板部材は、種々の電気部品が取り付けられる主配線基板への取付けが、当該主配線基板に電気的接続がなされて固着されたコネクタ装置が用いられて行われることが多いものとされる。このような配線板部材の主配線基板への取付けにあたって用いられるコネクタ装置は、配線板部材に設けられた接続端子部に接触する導電性のコンタクトを有していて、そのコンタクトを介して、配線板部材に設けられた接続端子部を主配線基板に設けられた配線部に電気的に接続する。
【０００３】
従来提案されている、例えば、フレキシブル印刷配線基板とされる配線板部材の主配線基板への取付けに用いられるコネクタ装置の第１の類型にあっては、配線板部材の部分が差し込まれる差込み部が設けられて主配線基板に取り付けられる絶縁ハウジングが備えられる。それに加えて、絶縁ハウジングに配列配置されて設けられ、配線板部材の部分が差込み部を通じて絶縁ハウジングに差し込まれるとき、その配線板部材の部分に設けられた複数の接続端子部に夫々対応するものとなる複数のコンタクトと、絶縁ハウジングに対して回動可能に設けられ、複数のコンタクトの夫々に係合して、回動せしめられるとき複数のコンタクトの夫々における作動部を変位させ、それにより複数のコンタクトを複数の接続端子部に夫々押圧接触させるアクチュエータとが備えられる。
【０００４】
複数のコンタクトの各々は、導電性の弾性材料で形成され、絶縁ハウジングに固定される部分である固定部と、連結部により固定部に連結されて変位可能とされた部分である可動部と、を有するものとされる。そして、固定部は、主配線基板に設けられた配線部に電気的に接続され、また、可動部は、配線板部材の部分に設けられた接続端子部に押圧接触する接触部が設けられたもとで、アクチュエータによって変位せしめられる（例えば、特許文献１参照。）。
【０００５】
特許文献１に示されるコネクタ装置にあっては、主配線基板（プリント基板(60)) に取り付けられた絶縁ハウジング（インシュレータ(20)) に、差込み部（ガイド部(22a))を通じて配線板部材（FPC(50))の部分が差し込まれたもとで、アクチュエータ(30)が所定の方向に回動せしめられる。それにより、アクチュエータが、複数のコンタクト(10)の夫々における可動部を変位させて、当該可動部の接触部(12)に配線板部材の部分に設けられた複数の接続端子部（パターン）のうちの対応するものに対する押圧接触状態をとらせる。また、複数のコンタクトの各々における可動部の接触部が、配線板部材の部分に設けられた複数の接続端子部のうちの対応するものに押圧接触する状態をとるもとで、アクチュエータが上述の所定の方向とは逆の方向に回動せしめられると、アクチュエータが、複数のコンタクトの夫々における可動部を変位させて、当該可動部の接触部を配線板部材の部分に設けられた複数の接続端子部のうちの対応するものに対する押圧接触状態から解放する。
【０００６】
また、従来提案されている、例えば、フレキシブル印刷配線基板とされる配線板部材の主配線基板への取付けに用いられるコネクタ装置の第２の類型にあっては、配線板部材の部分が載置される凹部が設けられて主配線基板に取り付けられる絶縁ハウジングが備えられる。それに加えて、絶縁ハウジングに配列配置されて設けられ、配線板部材の部分が絶縁ハウジングに設けられた凹部に載置されるとき、その配線板部材の部分に設けられた複数の接続端子部に夫々対応するものとなる複数のコンタクトと、絶縁ハウジングに対して回動可能に設けられ、回動せしめられるとき絶縁ハウジングに設けられた凹部に載置された配線板部材の部分を押圧し、それにより絶縁ハウジングに配された複数のコンタクトを配線板部材の部分に設けられた複数の接続端子部に夫々押圧接触されるものとするアクチュエータとが備えられる。
【０００７】
複数のコンタクトの各々は、導電性の弾性材料で形成されて、絶縁ハウジングに固定される部分である固定部と、固定部から変位可能に伸びる部分である可動部と、を有するものとされる。そして、固定部は、主配線基板に設けられた配線部に電気的に接続され、また、可動部には、配線板部材の部分に設けられた接続端子部に押圧接触する接触部が設けられる（例えば、特許文献２参照。）。
【０００８】
特許文献２に示されるコネクタ装置（コネクタ(10)) にあっては、主配線基板（プリント基板(1p)) に取り付けられた絶縁ハウジング（ハウジング(2))に設けられた凹部(21)に、配線板部材（FPC(1)) の部分が、複数のコンタクト(5) を覆う状態をもって載置されたもとで、アクチュエータ（金属カバー(3))が所定の方向に回動せしめられる。それにより、アクチュエータが、絶縁ハウジングに設けられた凹部に載置された配線板部材の部分を複数のコンタクトに向けて押圧し、複数のコンタクトの夫々における可動部（アーム(51)) の接触部（接点(52)) に、配線板部材の部分に設けられた複数の接続端子部（導体パターン）のうちの対応するものに対する押圧接触状態をとらせる。また、複数のコンタクトの各々における可動部の接触部が配線板部材の部分に設けられた複数の接続端子部のうちの対応するものに押圧接触する状態におかれたもとで、アクチュエータが上述の所定の方向とは逆の方向に回動せしめられると、アクチュエータが、絶縁ハウジングに設けられた凹部に載置された配線板部材の部分を複数のコンタクトに向けての押圧状態から解放し、それにより、複数のコンタクトの夫々における可動部の接触部が、配線板部材の部分に設けられた複数の接続端子部のうちの対応するものに対する押圧接触状態から解放される。
【先行技術文献】
【特許文献】
【０００９】
【特許文献１】特開２００２−２７０２９０号公報（段落００２０〜００２３、図６，図７）
【特許文献２】特開２００８−５３１２３号公報（段落００４４〜００４６、０４９，００５０，００５４，００５５，図１，図２，図５，図６）
【発明の概要】
【発明が解決しようとする課題】
【００１０】
上述の特許文献１に示されるような従来提案されているコネクタ装置の第１の類型にあっては、主配線基板に取り付けられた絶縁ハウジングに、それに設けられた差込み部を通じて配線板部材の部分が差し込まれるが、斯かる配線板部材の部分の絶縁ハウジングへの差込みは、主配線基板の板面に平行な方向をもって行われる。その際、絶縁ハウジングには、主配線基板からの突出長とされる高さ寸法をできるだけ小とすべく、全体の厚さを比較的小とする低背化が望まれるが、低背化が図られた絶縁ハウジングにあっては、それに差し込まれる配線板部材の部分が通じる差込み部の寸法が、特に高さ方向において極めて小なるものとされる。それゆえ、主配線基板に取り付けられた絶縁ハウジングへの配線板部材の部分の差込み部を通じた差込みが、極めて実行し難いものとされて、主配線基板の絶縁ハウジングへの差込みに、煩わしい操作が必要とされることになってしまい、さらには、配線板部材の部分が、絶縁ハウジングに正しく差し込まれず、絶縁ハウジング内における適正な位置に配されない事態がまねかれる虞もある。
【００１１】
それに加えて、配線板部材の部分の絶縁ハウジングへの差込みが、絶縁ハウジングが取り付けられた主配線基板の板面に平行な方向をもって行われるので、主配線基板上の絶縁ハウジングの差込み部の外方に、比較的大なるスペースが要されることになる不都合も伴っている。
【００１２】
また、上述の特許文献２に示されるような従来提案されているコネクタ装置の第２の類型にあっては、主配線基板に取り付けられた絶縁ハウジングに設けられた凹部に、配線板部材の部分が、絶縁ハウジングが取り付けられた主配線基板の板面に略直交する方向、即ち、凹部を覆う方向から載置される。斯かるもとにあっても、絶縁ハウジングには、主配線基板からの突出長とされる高さ寸法をできるだけ小とすべく、全体の厚さを比較的小とする低背化が望まれるが、低背化が図られた絶縁ハウジングにあっては、配線板部材の部分が載置される凹部が、その深さが極めて浅いものとされてしまう。それゆえ、主配線基板に取り付けられた絶縁ハウジングに設けられた凹部に配線板部材の部分が載置されてからその配線板部材の部分を押圧すべくアクチュエータが回動せしめられるまでの間に、配線板部材の部分が凹部から外れてしまう事態が生じ易い。そして、配線板部材の部分が凹部から外れてしまったもとで、アクチュエータが回動せしめられて配線板部材の部分を押圧する状態がとられると、複数のコンタクトと配線板部材の部分に設けられた複数の接続端子部との間の接触接続不良が生じる虞れ、さらには、配線板部材の部分もしくは絶縁ハウジングの変形あるいは破損がまねかれてしまう虞がある。
【００１３】
斯かる点に鑑み、本願の特許請求の範囲に記載された発明は、例えば、フレキシブル印刷配線基板等とされる配線板部材の主印刷配線基板への取付けに用いられる、配線板部材の部分が載置される部材収容部が設けられた絶縁ハウジングと、絶縁ハウジングに配列配置されて設けられる複数のコンタクトと、絶縁ハウジングに対して回動可能に配され、部材収容部に載置されて収容された配線板部材の部分を複数のコンタクトに向けて押圧する状態をとるアクチュエータと、を備えたコネクタ装置であって、比較的簡単で小型・低背化に適した構成をもって、配線板部材の部分もしくは絶縁ハウジングの変形あるいは破損をまねく虞を伴うことなく、部材収容部に載置された配線板部材の部分を適正かつ確実に収容することができ、さらに、その配線板部材の部分に設けられた複数の接続端子部と複数のコンタクトとに適正な相互接触接続状態をとらせることができるものを提供する。
【課題を解決するための手段】
【００１４】
本願の特許請求の範囲における請求項１から請求項５までのいずれかに記載された発明（以下、本願発明という。）に係るコネクタ装置は、配線板部材の部分が載置される部材収容部が設けられた絶縁ハウジングと、絶縁ハウジングに配列配置され、配線板部材の部分が部材収容部に載置されて収容されたとき、その配線板部材の部分に配列配置された複数の接続端子部に夫々接触接続される複数のコンタクトと、絶縁ハウジングに対して回動可能に設けられ、部材収容部を開放状態とする第１の静止位置と部材収容部を覆う第２の静止位置とを選択的にとり、第１の静止位置をとるとき、配線板部材の部分の部材収容部への載置を可能とし、配線板部材の部分が部材収容部に載置されて収容されたもとで第２の静止位置をとるとき、その配線板部材の部分に配列配置された複数の接続端子部を複数のコンタクトに向けて夫々押圧するアクチュエータとを備えて成り、配線板部材の部分が、部材収容部にそれを覆う方向から載置された後、その板面に沿いかつ複数のコンタクトの配列方向に交差する方向に移動せしめられるとき、その配線板部材の部分に設けられた係合部に係合してその配線板部材の部分を保持する係合保持部が、部材収容部における複数のコンタクトの配列方向の両端部に設けられたことを特徴とするものとされる。
【００１５】
特に、本願発明のうちの請求項２に記載された発明に係るコネクタ装置は、部材収容部に載置された配線板部材の部分が、それに設けられた係合部に係合保持部が係合してそれにより保持される適正な位置に配されていないもとで、アクチュエータが第１の静止位置から第２の静止位置へと回動せしめられるとき、配線板部材の部分に当接してアクチュエータの回動を阻止する適正位置検知部が、アクチュエータに設けられていることを特徴とするものとされる。
【００１６】
このように構成される本願発明に係るコネクタ装置においては、絶縁ハウジングに設けられて配線板部材の部分が載置される部材収容部が、それにおける複数のコンタクトの配列方向の両端部に、一対の係合保持部が夫々設けられる。各係合保持部は、部材収容部にそれを覆う方向から載置された配線板部材の部分が、その板面に沿いかつ複数のコンタクトの配列方向に交差する方向に移動せしめられると、配線板部材の部分に設けられた係合部に係合してその配線板部材の部分を保持する。それにより、部材収容部に載置された配線板部材の部分が、係合保持部により保持されたもとで、部材収容部に収容された状態におかれる。
【００１７】
即ち、アクチュエータが第１の静止位置をとり、部材収容部が開放状態におかれたもとで配線板部材の部分が部材収容部にそれを覆う方向から載置され、その配線板部材の部分が部材収容部において配線板部材の板面に沿いかつ複数のコンタクトの配列方向に交差する方向に移動せしめられるとき、部材収容部に設けられた一対の係合保持部の夫々が、配線板部材の部分に設けられた係合部に係合してその配線板部材の部分を部材収容部において保持し、配線板部材の部分が部材収容部に収容された状態となす。
【００１８】
そして、部材収容部に載置された配線板部材の部分が、係合保持部により保持されたもとで部材収容部に収容された後、アクチュエータが、第１の静止位置から第２の静止位置へと回動せしめられて部材収容部を覆うものとされるとき、部材収容部に収容された配線板部材の部分がアクチュエータによって押圧され、それに伴って、配線板部材の部分に配列配置された複数の接続端子部が複数のコンタクトに向けて夫々押圧される。それにより、配線板部材の部分に設けられた複数の接続端子部と複数のコンタクトとが、適正な相互接触接続状態におかれる。
【００１９】
さらに、その後、アクチュエータが、第２の静止位置から第１の静止位置へと回動せしめられると、部材収容部に収容された配線板部材の部分がアクチュエータによる押圧から解放され、それに伴って、配線板部材の部分に配列配置された複数の接続端子部も複数のコンタクトに向けての押圧から解放される。そして、配線板部材の部分は、その板面に沿いかつ複数のコンタクトの配列方向に交差する方向に移動せしめられることにより、それに設けられた係合部を部材収容部に設けられた係合保持部との係合を解除するものとして、係合保持部による保持から脱することが可能とされる状態におかれる。
【００２０】
特に、本願発明のうちの請求項２に記載された発明に係るコネクタ装置にあっては、アクチュエータが第１の静止位置をとるもとで部材収容部に載置された配線板部材の部分が、それに設けられた係合部に係合保持部が係合してそれにより保持される適正な位置に配されていないとき、アクチュエータが第１の静止位置から第２の静止位置に向けて回動せしめられると、アクチュエータに設けられた適正位置検知部が、部材収容部に載置された配線板部材の部分に当接してアクチュエータの回動を阻止する。それにより、部材収容部に載置された配線板部材の部分が、適正な位置に配されていない状態におかれたもとでアクチュエータによって押圧されてしまう事態が回避される。
【発明の効果】
【００２１】
本願発明に係るコネクタ装置においては、アクチュエータが第１の静止位置をとって部材収容部が開放状態におかれたもとで部材収容部にそれを覆う方向から載置された配線板部材の部分は、その板面に沿いかつ複数のコンタクトの配列方向に交差する方向に移動せしめられることにより、それに設けられた係合部が部材収容部に設けられた係合保持部との係合状態におかれ、それにより、係合保持部によって保持されたもとで、部材収容部に適正な位置をもって収容されることになる。その結果、本願発明に係るコネクタ装置によれば、例えば、配線板部材の部分を絶縁ハウジングに挿入するための差込み部を設けることを必要としない、比較的簡単で小型・低背化に適した構成をもって、部材収容部に載置された配線板部材の部分を適正かつ確実に収容することができる。
【００２２】
また、本願発明に係るコネクタ装置によれば、部材収容部に載置された配線板部材の部分が、係合保持部により保持されたもとで部材収容部に収容された後、アクチュエータが、第１の静止位置から第２の静止位置へと回動せしめられて部材収容部を覆うものとされるとき、部材収容部に収容された配線板部材の部分がアクチュエータによって押圧され、それに伴って、配線板部材の部分に配列配置された複数の接続端子部が複数のコンタクトに向けて夫々押圧されるので、部材収容部に収容された配線板部材の部分は、それに設けられた複数の接続端子部と複数のコンタクトとが適正に相互接触接続される状態におかれる。即ち、配線板部材の部分に設けられた複数の接続端子部と複数のコンタクトとに適正な相互接触接続状態をとらせることができるのである。その結果、本願発明に係るコネクタ装置が、複数のコンタクトが絶縁ハウジングの取付けがなされる主配線基板における配線端子に接続されて、実用に供されるにあたっては、配線板部材の部分に設けられた複数の接続端子部を、複数のコンタクトを介して、主配線基板における配線端子に適正かつ確実に連結することができることになる。
【００２３】
さらに、本願発明のうちの請求項２に記載された発明に係るコネクタ装置によれば、アクチュエータが第１の静止位置をとるもとで部材収容部にそれを覆う方向から載置された配線板部材の部分が、それに設けられた係合部に係合保持部が係合してそれにより保持される適正な位置に配されていないとき、アクチュエータが第１の静止位置から第２の静止位置に向けて回動せしめられると、アクチュエータに設けられた適正位置検知部が、部材収容部に載置された配線板部材の部分に当接してアクチュエータの回動を阻止するので、部材収容部に載置された配線板部材の部分が、適正な位置に配されていない状態におかれたもとでアクチュエータによって押圧されてしまう事態を回避することができる。
【００２４】
その結果、配線板部材の部分を絶縁ハウジングに挿入するための差込み部を設けることを必要としない、比較的簡単で小型・低背化に適した構成をもって、配線板部材の部分もしくは絶縁ハウジングの変形あるいは破損をまねく虞を伴うことなく、部材収容部に載置された配線板部材の部分を適正かつ確実に収容することができることになる。
【図面の簡単な説明】
【００２５】
【図１】本願発明に係るコネクタ装置の一例をアクチュエータが第１の静止位置をとる状態をもって示す斜視図である。
【図２】本願発明に係るコネクタ装置の一例をアクチュエータが第１の静止位置をとる状態をもって示す側面図である。
【図３】図１及び図２に示される例に備えられる補強金具を示す斜視図である。
【図４】図１及び図２に示される例に備えられるアクチュエータを示す斜視図である。
【図５】図１及び図２に示される例に装着されるフレキシブル印刷配線基板の表面側を部分的に示す斜視図である。
【図６】図１及び図２に示される例に装着されるフレキシブル印刷配線基板の裏面側を部分的に示す斜視図である。
【図７】アクチュエータが第１の静止位置をとる図１及び図２に示される例における部材収容部に、図５及び図６に示されるフレキシブル印刷配線基板の部分が載置される直前の状態を示す斜視図である。
【図８】アクチュエータが第１の静止位置をとる図１及び図２に示される例における部材収容部に、図５及び図６に示されるフレキシブル印刷配線基板の部分が載置された状態を示す斜視図である。
【図９】アクチュエータが第１の静止位置をとる図１及び図２に示される例における部材収容部に、図５及び図６に示されるフレキシブル印刷配線基板の部分が載置されて収容された状態を示す斜視図である。
【図１０】アクチュエータが第１の静止位置をとる図１及び図２に示される例と、それにおける部材収容部に載置されて収容された図５及び図６に示されるフレキシブル印刷配線基板の部分とを、部分的に拡大して示す一部断面を含む斜視図である。
【図１１】アクチュエータが第２の静止位置をとる図１及び図２に示される例とそれにおける部材収容部に載置されて収容された部分を有する図５及び図６に示されるフレキシブル印刷配線基板とを示す斜視図である。
【図１２】アクチュエータが第２の静止位置をとる図１及び図２に示される例と、それにおける部材収容部に載置されて収容された図５及び図６に示されるフレキシブル印刷配線基板の部分とを、部分的に拡大して示す一部断面を含む斜視図である。
【図１３】アクチュエータの第１の静止位置から第２の静止位置に向けての回動が、アクチュエータに設けられた適正位置検知部によって阻止された状態を、部分的に拡大して示す一部断面を含む斜視図である。
【発明を実施するための形態】
【００２６】
本願発明を実施するための形態は、以下に述べられる本願発明についての実施例をもって説明される。
【実施例】
【００２７】
図１（斜視図）及び図２（側面図）は、本願発明に係るコネクタ装置の一例を示す。
【００２８】
図１及び図２において、本願発明に係るコネクタ装置の一例を成すコネクタ装置１０は、合成樹脂等の絶縁材料によって形成された絶縁ハウジング１１を備えている。コネクタ装置１０が実際の使用に供されるときには、絶縁ハウジング１１が、例えば、電子機器の主配線基板（図示が省略されている。）に取り付けられる。
【００２９】
絶縁ハウジング１１には、例えば、フレキシブル印刷配線基板とされる配線板部材の部分が載置される、全体的に凹部を成す部材収容部１２が設けられている。この部材収容部１２は、絶縁ハウジング１１における端縁部１１ａを含んだ周縁部分の一部を残して、絶縁ハウジング１１の略全体に亙って広がるものとして形成されている。
【００３０】
さらに、絶縁ハウジング１１には、複数のコンタクト１３が、絶縁ハウジング１１の長手方向に沿って配列配置されて設けられている。これらの配列配置された複数のコンタクト１３の各々は、短冊状を成すものとされた弾性を有する導電性板材が屈曲せしめられて形成されていて、その一端部が絶縁ハウジング１１の端縁部１１ａを貫通してその外部へと伸び、図２に示される端子部１３ａを形成するものとされている。この端子部１３ａは、絶縁ハウジング１１が図示されていない主配線基板に取り付けられるとき、その主配線基板における配線端子に、例えば、半田付けによって接続される。
【００３１】
そして、複数のコンタクト１３は、絶縁ハウジング１１に設けられた部材収容部１２に配線板部材の部分が載置されるとき、その配線板部材の部分に配列配置された複数の接続端子部に夫々対応する位置をとるものとされる。
【００３２】
複数のコンタクト１３が配列配置された絶縁ハウジング１１における複数のコンタクト１３の配列方向（絶縁ハウジング１１の長手方向）の両端部には、一対の補強金具１４Ａ及び１４Ｂが夫々取り付けられている。これらの補強金具１４Ａ及び１４Ｂのうちの一方である補強金具１４Ａは、図３に示されるように、導電性を有した金属板材に打抜き屈曲加工が施されて形成されており、絶縁ハウジング１１の周縁部分を成す側端縁部１１ｂの一部が入り込む溝部１５Ａが設けられている。そして、溝部１５Ａを形成する内側壁部１６Ａから弾性腕状部１７Ａが伸びており、弾性腕状部１７Ａの先端部分には、当接突起部１８Ａが設けられている。また、溝部１５Ａを形成する外側壁部１９Ａは、絶縁ハウジング１１の側端縁部１１ｂに沿って伸びており、円形透孔２０Ａと矩形透孔２１Ａとが設けられている。
【００３３】
補強金具１４Ａ及び１４Ｂのうちの他方である補強金具１４Ｂも、補強金具１４Ａと同様に、導電性を有した金属板材に打抜き屈曲加工が施されて形成されており、絶縁ハウジング１１の周縁部分を成す側端縁部１１ｃの一部が入り込む溝部１５Ｂが設けられている。そして、溝部１５Ｂを形成する内側壁部１６Ｂから弾性腕状部１７Ｂ（図には現れていない）が伸びており、弾性腕状部１７Ｂの先端部分には、当接突起部１８Ｂ（図には現れていない）が設けられている。また、溝部１５Ｂを形成する外側壁部１９Ｂは、絶縁ハウジング１１の側端縁部１１ｃに沿って伸びており、円形透孔２０Ｂ（図には現れていない）と矩形透孔２１Ｂとが設けられている。
【００３４】
これらの補強金具１４Ａ及び１４Ｂの夫々は、絶縁ハウジング１１が図示されていない主配線基板に取り付けられるとき、その主配線基板におけるグラウンド接続部に、例えば、半田付けによって接続され、それにより、絶縁ハウジング１１の主配線基板への固定に貢献する。
【００３５】
また、コネクタ装置１０は、絶縁ハウジング１１に対して回動可能とされたアクチュエータ２５を備えている。アクチュエータ２５は、絶縁ハウジング１１における複数のコンタクト１３の配列方向に沿って伸びる細長い板状体を成していて、その長手方向を絶縁ハウジング１１の長手方向と同方向としており、複数のコンタクト１３の配列方向に伸びる仮想回転中心軸Ｘ（図１，図２）を伴っている。そして、アクチュエータ２５は、図１，図２に示されるような、絶縁ハウジング１１における部材収容部１２を開放状態とする、絶縁ハウジング１１に対して起き上がった位置となる第１の静止位置と、後述される図１１に示されるような、部材収容部１２を覆うことになる、絶縁ハウジング１１に対して伏した位置となる第２の静止位置とを選択的にとる。
【００３６】
そして、図１及び図２に示される状態におかれたアクチュエータ２５に回動操作が加えられるときには、仮想回転中心軸Ｘの周りを図２において左回りとなる方向に回動して、第１の静止位置から第２の静止位置に移行し、また、図１１に示される状態におかれたアクチュエータ２５に回動操作が加えられるときには、仮想回転中心軸Ｘの周りを、図２において右回りとなる方向に回動して、第２の静止位置から第１の静止位置に移行する。
【００３７】
図４に示されるように、アクチュエータ２５には、平板状体を成すその本体部２６における長手方向の両端部に一対の回動軸部２７Ａ及び２７Ｂが夫々設けられている。これらの回動軸部２７Ａ及び２７Ｂは、補強金具１４Ａの外側壁部１９Ａに設けられた円形透孔２０Ａ及び補強金具１４Ｂの外側壁部１９Ｂに設けられた円形透孔２０Ｂに夫々嵌合し、仮想回転中心軸Ｘが回動軸部２７Ａ及び２７Ｂの両者を貫通するものとされる。また、アクチュエータ２５の本体部２６における長手方向の両端部には、一対の係合突出部２８Ａ及び２８Ｂも夫々設けられている。これらの係合突出部２８Ａ及び２８Ｂは、アクチュエータ２５が第２の静止位置をとるとき、補強金具１４Ａの外側壁部１９Ａに設けられた矩形透孔２１Ａ及び補強金具１４Ｂの外側壁部１９Ｂに設けられ矩形透孔２１Ｂに夫々係合して、アクチュエータ２５を第２の静止位置に拘束する役割を果たす。
【００３８】
さらに、アクチュエータ２５の本体部２６における長手方向の両端部には、回動軸部２７Ａの近傍において本体部２６から折り返して本体部２６と略平行に伸びる適正位置検知部２９Ａ、及び、回動軸部２７Ｂの近傍において本体部２６から折り返して本体部２６と略平行に伸びる適正位置検知部２９Ｂが、夫々設けられている。これらの適正位置検知部２９Ａ及び適正位置検知部２９Ｂは、絶縁ハウジング１１に設けられた部材収容部１２に配線板部材の部分が載置されたもとで、アクチュエータ２５が第１の静止位置から第２の静止位置に向けて回動せしめられるとき、部材収容部１２に載置された配線板部材の部分が適正な位置におかれているか否かを検知し、配線板部材の部分が適正な位置におかれていないときには、その配線板部材の部分に当接して、アクチュエータ２５の回動を阻止する役割を果たす。
【００３９】
また、アクチュエータ２５の本体部２６における一端縁部の中央部分には、アクチュエータ２５を回動させるための操作が加えられる操作用突出部３０が設けられている。
【００４０】
このようなアクチュエータ２５は、導電性を有した金属板材に打抜き屈曲加工が施されて構成されており、回動軸部２７Ａ及び２７Ｂが、補強金具１４Ａの外側壁部１９Ａに設けられた円形透孔２０Ａ及び補強金具１４Ｂの外側壁部１９Ｂに設けられた円形透孔２０Ｂに夫々嵌合し、また、係合突出部２８Ａ及び２８Ｂが、アクチュエータ２５が第２の静止位置をとるとき、補強金具１４Ａの外側壁部１９Ａに設けられた矩形透孔２１Ａ及び補強金具１４Ｂの外側壁部１９Ｂに設けられ矩形透孔２１Ｂに夫々係合することにより、補強金具１４Ａ及び１４Ｂとの電気的接続状態におかれる。
【００４１】
図５及び図６は、絶縁ハウジング１１に設けられた部材収容部１２に載置される部分を有した配線板部材の一例を成すフレキシブル印刷配線基板４０を部分的に示し、図５には、フレキシブル印刷配線基板４０の表面側が示されており、また、図６には、フレキシブル印刷配線基板４０の裏面側が示されている。
【００４２】
フレキシブル印刷配線基板４０における絶縁ハウジング１１の部材収容部１２に載置される部分には、一対の係合部４１Ａ及び４１Ｂが、矩形状の突起部を成すものとして設けられている。そして、図５に示されるフレキシブル印刷配線基板４０の表面側においては、係合部４１Ａにグラウンド接続端子４２Ａが配されているとともに、係合部４１Ｂにグラウンド接続端子４２Ｂが配されている。また、図６に示されるフレキシブル印刷配線基板４０の裏面側においては、係合部４１Ａと係合部４１Ｂとの間となる部分に、各々が短冊形を成すものとされた導電性材料で成る複数の接続端子部４３が、配列配置されて設けられている。これらの複数の接続端子部４３の夫々は、絶縁皮膜４４によって全体的に覆われた、フレキシブル印刷配線基板４０に設けられた配線部に連結されている。
【００４３】
このようなもとで、前述のコネクタ装置１０の絶縁ハウジング１１に設けられた部材収容部１２には、それにおける複数のコンタクト１３の配列方向の両端部に、部材収容部１２に載置された配線板部材であるフレキシブル印刷配線基板４０の部分が、フレキシブル印刷配線基板４０の板面に沿いかつ複数のコンタクト１３の配列方向に交差する方向に移動せしめられるとき、フレキシブル印刷配線基板４０の部分に設けられた係合部４１Ａ及び４１Ｂに夫々係合して、フレキシブル印刷配線基板４０の部分を保持する一対の係合保持部３１Ａ及び３１Ｂが夫々設けられている。係合保持部３１Ａは、絶縁ハウジング１１における側端縁部１１ｂから部材収容部１２の中央部側に突出する突出部３２Ａとそれに係合した補強金具１４Ａに設けられた弾性腕状部１７Ａとを含んで構成されている。同様に、係合保持部３１Ｂは、絶縁ハウジング１１における側端縁部１１ｃから部材収容部１２の中央部側に突出する突出部３２Ｂとそれに係合した補強金具１４Ｂに設けられた弾性腕状部１７Ｂとを含んで構成されている。
【００４４】
そして、フレキシブル印刷配線基板４０の部分がコネクタ装置１０の絶縁ハウジング１１に設けられた部材収容部１２に載置されて収容されるにあたっては、先ず、図７に示されるように、コネクタ装置１０に備えられたアクチュエータ２５が第１の静止位置をとるもとで、フレキシブル印刷配線基板４０の係合部４１Ａ及び４１Ｂと複数の接続端子部４３とが設けられた部分が、フレキシブル印刷配線基板４０の裏面側を絶縁ハウジング１１に設けられた部材収容部１２に対向させて、図７において部材収容部１２の上方となる位置に配される。
【００４５】
次に、図８に示されるように、フレキシブル印刷配線基板４０の係合部４１Ａ及び４１Ｂと複数の接続端子部４３とが設けられた部分が、絶縁ハウジング１１に設けられた部材収容部１２において配列配置された複数のコンタクト１３を覆うようにして、即ち、部材収容部１２を覆う方向から部材収容部１２に載置される。その際、フレキシブル印刷配線基板４０の部分に設けられてグラウンド接続端子４２Ａ及び４２Ｂが夫々配された係合部４１Ａ及び４１Ｂが、部材収容部１２における複数のコンタクト１３の配列方向の両端部に設けられた係合保持部３１Ａ及び３１Ｂに夫々対応する位置に配される。
【００４６】
続いて、部材収容部１２に載置されたフレキシブル印刷配線基板４０の部分が、フレキシブル印刷配線基板４０の板面に沿いかつ複数のコンタクト１３の配列方向に交差する方向に、絶縁ハウジング１１における端縁部１１ａから遠ざかるようにして移動せしめられ、それにより、図９に示されるように、部材収容部１２における複数のコンタクト１３の配列方向の両端部に設けられた係合保持部３１Ａ及び３１Ｂが、フレキシブル印刷配線基板４０の部分に設けられた係合部４１Ａ及び４１Ｂに夫々係合して、フレキシブル印刷配線基板４０の部分を保持する状態とされる。斯かる際における部材収容部１２に載置されたフレキシブル印刷配線基板４０の部分の移動方向は、図９に示される矢印Ｐによってあらわされている。
【００４７】
図１０は、部材収容部１２における複数のコンタクト１３の配列方向の一端部に設けられた係合保持部３１Ａが、フレキシブル印刷配線基板４０の部分に設けられた係合部４１Ａに係合して、フレキシブル印刷配線基板４０の部分を保持した状態を詳細に示す。図１０においては、絶縁ハウジング１１における側端縁部１１ｂ（図１０には現れていない。）から突出する突出部３２Ａとそれに係合した補強金具１４Ａに設けられた弾性腕状部１７Ａとを含んで構成された係合保持部３１Ａが、弾性腕状部１７Ａに設けられた当接突起部１８Ａをフレキシブル印刷配線基板４０の部分に設けられた係合部４１Ａに配されたグラウンド接続端子４２Ａに弾性押圧当接させたもとで、フレキシブル印刷配線基板４０の部分に設けられた係合部４１Ａに係合している。それにより、補強金具１４Ａが、弾性腕状部１７Ａを介して、フレキシブル印刷配線基板４０におけるグラウンド接続端子４２Ａに電気的に接続された状態におかれる。補強金具１４Ａは、絶縁ハウジング１１が取り付けられた主配線基板におけるグラウンド接続部に接続されており、その結果、フレキシブル印刷配線基板４０におけるグラウンド接続端子４２Ａに、補強金具１４Ａを通じて、主配線基板からのグラウンド電位が供給される電位設定がなされる。
【００４８】
部材収容部１２における複数のコンタクト１３の配列方向の他端部に設けられた係合保持部３１Ｂが、フレキシブル印刷配線基板４０の部分に設けられた係合部４１Ｂに係合して、フレキシブル印刷配線基板４０の部分を保持した状態も、係合保持部３１Ａが係合部４１Ａに係合してフレキシブル印刷配線基板４０の部分を保持した状態と同様とされ、また、補強金具１４Ｂも、絶縁ハウジング１１が取り付けられた主配線基板におけるグラウンド接続部に接続されている。その結果、フレキシブル印刷配線基板４０におけるグラウンド接続端子４２Ｂにも、補強金具１４Ｂを通じて、主配線基板からのグラウンド電位が供給される電位設定がなされる。
【００４９】
上述のようにして、部材収容部１２における複数のコンタクト１３の配列方向の両端部に設けられた係合保持部３１Ａ及び３１Ｂが、係合部４１Ａ及び４１Ｂに夫々係合して保持することになる、部材収容部１２に載置されたフレキシブル印刷配線基板４０の部分は、部材収容部１２に適正な位置に配された状態をもって収容されたものとされる。
【００５０】
その後、部材収容部１２に載置されたフレキシブル印刷配線基板４０の部分が部材収容部１２に適正な位置に配された状態をもって収容されたもとで、コネクタ装置１０に備えられたアクチュエータ２５が、第１の静止位置から第２の静止位置へと、回動軸部２７Ａ及び２７Ｂを貫通する仮想回転軸Ｘの回りを回動せしめられて、図１１に示されるような、アクチュエータ２５が部材収容部１２を覆う第２の静止位置をとる状態とされる。斯かる際には、部材収容部１２に載置されたフレキシブル印刷配線基板４０の部分が適正な位置に配されているので、図１２に示されるように、アクチュエータ２５の本体部２６における長手方向の一端部に設けられた適正位置検知部２９Ａは、部材収容部１２における適正な位置に配されたフレキシブル印刷配線基板４０の部分に応じて、フレキシブル印刷配線基板４０の部分に当接することなくその端縁部に隣接する位置をとり、アクチュエータ２５の回動を阻止するものとはならない。
【００５１】
同様に、アクチュエータ２５の本体部２６における長手方向の他端部に設けられた適正位置検知部２９Ｂも、部材収容部１２における適正な位置に配されたフレキシブル印刷配線基板４０の部分に応じて、フレキシブル印刷配線基板４０の部分に当接することなくその端縁部に隣接する位置をとり、アクチュエータ２５の回動を阻止するものとはならない。
【００５２】
図１１及び図１２に示されるように第２の静止位置をとるアクチュエータ２５は、部材収容部１２における適正な位置に配されたフレキシブル印刷配線基板４０の部分を、部材収容部１２において配列配置されている複数のコンタクト１３に向けて押圧する。それに伴って、フレキシブル印刷配線基板４０の裏面側においてフレキシブル印刷配線基板４０の部分に配列配置された複数の接続端子部４３が、部材収容部１２において配列配置されている複数のコンタクト１３に夫々押圧接触接続される。それにより、フレキシブル印刷配線基板４０の部分に配列配置された複数の接続端子部４３が、複数のコンタクト１３を通じて、複数のコンタクト１３の夫々に設けられた端子部１３ａが接続された、絶縁ハウジング１１が取り付けられた主配線基板における配線端子に、電気的に連結される。
【００５３】
また、アクチュエータ２５が第２の静止位置をとるもとにあっては、アクチュエータ２５の本体部２６における長手方向の両端部に設けられた係合突出部２８Ａ及び２８Ｂが、補強金具１４Ａの外側壁部１９Ａに設けられた矩形透孔２１Ａ及び補強金具１４Ｂの外側壁部１９Ｂに設けられた矩形透孔２１Ｂに夫々係合する。それにより、アクチュエータ２５が、第２の静止位置に拘束されるとともに補強金具１４Ａ及び１４Ｂとの電気的接続状態におかれる。補強金具１４Ａ及び１４Ｂの夫々は、絶縁ハウジング１１が取り付けられた主配線基板におけるグラウンド接続部に接続されており、その結果、アクチュエータ２５に、補強金具１４Ａ及び１４Ｂを通じて、主配線基板からのグラウンド電位が供給される電位設定がなされる。
【００５４】
それにより、アクチュエータ２５は、部材収容部１２において配列配置されている複数のコンタクト１３及びそれらに夫々押圧接触接続されるフレキシブル印刷配線基板４０の部分に配列配置された複数の接続端子部４３が、グラウンド電位が与えられた導体で覆われることになる状態が得られるようにする役割を果たす。従って、斯かるアクチュエータ２５は、複数のコンタクト１３についての特性インピーダンス調整に貢献するもの、さらに、外部からの電磁波ノイズに対するシールド効果が得られるものとなる。
【００５５】
仮に、部材収容部１２に載置されたフレキシブル印刷配線基板４０の部分が、その係合部４１Ａ及び４１Ｂに部材収容部１２の係合保持部３１Ａ及び３１Ｂが適正に係合していず、当該係合保持部３１Ａ及び３１Ｂにより保持される適正な位置に配されていないもとで、コネクタ装置１０に備えられたアクチュエータ２５が、第１の静止位置から第２の静止位置に向けて回動せしめられたとすると、図１３に示されるように、アクチュエータ２５の本体部２６における長手方向の一端部に設けられた適正位置検知部２９Ａが、部材収容部１２において適正な位置に配されていないフレキシブル印刷配線基板４０の部分に設けられた係合部４１Ａに当接し、それにより、アクチュエータ２５の回動を阻止する。また、図示は省略されているが、アクチュエータ２５の本体部２６における長手方向の他端部に設けられた適正位置検知部２９Ｂも、部材収容部１２において適正な位置に配されていないフレキシブル印刷配線基板４０の部分に設けられた係合部４１Ｂに当接し、それにより、アクチュエータ２５の回動を阻止する。
【００５６】
その結果、部材収容部１２に載置されたフレキシブル印刷配線基板４０の部分が、その係合部４１Ａ及び４１Ｂに部材収容部１２の係合保持部３１Ａ及び３１Ｂが適正に係合していず、当該係合保持部３１Ａ及び３１Ｂにより保持される適正な位置に配されていないもとで、アクチュエータ２５によって部材収容部１２において配列配置されている複数のコンタクト１３に向けて押圧されてしまう事態が回避される。
【００５７】
図１１に示されるように、部材収容部１２に載置されたフレキシブル印刷配線基板４０の部分が部材収容部１２に適正な位置に配された状態をもって収容され、コネクタ装置１０に備えられたアクチュエータ２５が部材収容部１２を覆う第２の静止位置をとる状態とされたもとで、アクチュエータ２５が、第２の静止位置から第１の静止位置へと、回動軸部２７Ａ及び２７Ｂを貫通する仮想回転軸Ｘの回りを回動せしめられるときには、部材収容部１２に収容されたフレキシブル印刷配線基板４０の部分がアクチュエータ２５による押圧から解放され、それに伴って、フレキシブル印刷配線基板４０の部分に配列配置された複数の接続端子部４３も複数のコンタクト１３に向けての押圧から解放される。そして、フレキシブル印刷配線基板４０の部分は、その板面に沿いかつ複数のコンタクト１３の配列方向に交差する、図９に矢印Ｐをもってあらわされる方向とは逆の方向に移動せしめられることにより、それに設けられた係合部４１Ａ及び４１Ｂを係合保持部３１Ａ及び３１Ｂとの係合を解除するものとして、係合保持部３１Ａ及び３１Ｂによる保持から脱することが可能とされる状態におかれる。
【００５８】
上述のようなコネクタ装置１０によれば、アクチュエータ２５が第１の静止位置をとって部材収容部１２が開放状態におかれたもとで部材収容部１２にそれを覆う方向から載置されたフレキシブル印刷配線基板４０の部分は、その板面に沿いかつ複数のコンタクト１３の配列方向に交差する方向に移動せしめられることにより、それに設けられた係合部４１Ａ及び４１Ｂが部材収容部１２に設けられた係合保持部３１Ａ及び３１Ｂとの係合状態におかれ、それにより、係合保持部３１Ａ及び３１Ｂによって保持されたもとで、部材収容部１２に適正な位置をもって収容されることになるので、例えば、フレキシブル印刷配線基板４０の部分を絶縁ハウジング１１に挿入するための差込み部を設けることを必要としない、比較的簡単で小型・低背化に適した構成をもって、部材収容部１２に載置されたフレキシブル印刷配線基板４０の部分を適正かつ確実に収容することができる。
【００５９】
また、部材収容部１２に載置されたフレキシブル印刷配線基板４０の部分が、係合保持部３１Ａ及び３１Ｂにより保持されたもとで部材収容部１２に収容された後、アクチュエータ２５が、第１の静止位置から第２の静止位置へと回動せしめられて部材収容部１２を覆うものとされるとき、部材収容部１２に収容されたフレキシブル印刷配線基板４０の部分がアクチュエータ２５によって押圧され、それに伴って、フレキシブル印刷配線基板４０の部分に配列配置された複数の接続端子部４３が複数のコンタクト１３に向けて夫々押圧されるので、部材収容部１２に収容されたフレキシブル印刷配線基板４０の部分は、それに設けられた複数の接続端子部４３と複数のコンタクト１３とが適正に相互接触接続される状態におかれる。その結果、複数のコンタクト１３が、絶縁ハウジング１１の取付けがなされる主配線基板における配線端子に接続されて実用に供されるにあたっては、フレキシブル印刷配線基板４０の部分に設けられた複数の接続端子部４３を、複数のコンタクト１３を介して、主配線基板における配線端子に適正かつ確実に連結することができることになる。
【００６０】
さらに、アクチュエータ２５が第１の静止位置をとるもとで部材収容部１２にそれを覆う方向から載置されたフレキシブル印刷配線基板４０の部分が、それに設けられた係合部４１Ａ及び４１Ｂに係合保持部３１Ａ及び３１Ｂが係合してそれにより保持される適正な位置に配されていないとき、アクチュエータ２５が第１の静止位置から第２の静止位置に向けて回動せしめられると、アクチュエータ２５に設けられた適正位置検知部２９Ａ及び２９Ｂが、部材収容部１２に載置されたフレキシブル印刷配線基板４０の部分に当接してアクチュエータ２５の回動を阻止するので、部材収容部１２に載置されたフレキシブル印刷配線基板４０の部分が、適正な位置に配されていない状態におかれたもとでアクチュエータ２５によって押圧されてしまう事態を回避することができる。
【００６１】
その結果、フレキシブル印刷配線基板４０の部分を絶縁ハウジング１１に挿入するための差込み部を設けることを必要としない、比較的簡単で小型・低背化に適した構成をもって、フレキシブル印刷配線基板４０の部分もしくは絶縁ハウジング１１の変形あるいは破損をまねく虞を伴うことなく、部材収容部１２に載置されたフレキシブル印刷配線基板４０の部分を適正かつ確実に収容することができることになる。
【産業上の利用可能性】
【００６２】
以上のような本願発明に係るコネクタ装置は、フレキシブル印刷配線基板等の配線板部材の電子機器の主配線基板等への取付けに用いられる、配線板部材の部分が載置される部材収容部が設けられた絶縁ハウジングと、絶縁ハウジングに配列配置されて設けられる複数のコンタクトと、絶縁ハウジングに対して回動可能に配されるアクチュエータとを備えたコネクタ装置であって、比較的簡単で小型・低背化に適した構成をもって、配線板部材の部分もしくは絶縁ハウジングの変形あるいは破損をまねく虞を伴うことなく、部材収容部に載置された配線板部材の部分を適正かつ確実に収容することができ、さらに、その配線板部材の部分に設けられた複数の接続端子部と複数のコンタクトとに適正な相互接触接続状態をとらせることができるものとして、様々な電子機器等に広く適用され得るものである。
【符号の説明】
【００６３】
１０・・・コネクタ装置，  １１・・・絶縁ハウジング，  １２・・・部材収容部，  １３・・・コンタクト，  １４Ａ，１４Ｂ・・・補強金具、  １７Ａ，１７Ｂ・・・弾性腕状部，  １８Ａ，１８Ｂ・・・当接突起部，  ２０Ａ，２０Ｂ・・・円形透孔，  ２１Ａ，２１Ｂ・・・矩形透孔，  ２５・・・アクチュエータ，  ２６・・・（アクチュエータ２５の）本体部，  ２７Ａ，２７Ｂ・・・回動軸部，  ２８Ａ，２８Ｂ・・・係合突出部，  ２９Ａ，２９Ｂ・・・適正位置検知部，  ３０・・・操作用突出部，  ３１Ａ，３１Ｂ・・・係合保持部，  ３２Ａ，３２Ｂ・・・突出部，  ４０・・・フレキシブル印刷配線基板，  ４１Ａ，４１Ｂ・・・係合部，  ４２Ａ，４２Ｂ・・・グラウンド接続端子，  ４３・・・接続端子部，  ４４・・・絶縁被膜
【図１】
0005545440.tif 000002
【図２】
0005545440.tif 000003
【図３】
0005545440.tif 000004
【図４】
0005545440.tif 000005
【図５】
0005545440.tif 000006
【図６】
0005545440.tif 000007
【図７】
0005545440.tif 000008
【図８】
0005545440.tif 000009
【図９】
0005545440.tif 000010
【図１０】
0005545440.tif 000011
【図１１】
0005545440.tif 000012
【図１２】
0005545440.tif 000013
【図１３】
0005545440.tif 000014